(57)【特許請求の範囲】
【請求項１】
一面側に貼り付けられる第一障子紙を貼り付けるための第一組子と、
他面側に貼り付けられる第二障子紙を貼り付けるための第二組子と、
からなり、
前記第一組子の竪子又は／及び横子が前記第二組子の竪子又は／及び横子と正面視にて完全には重ならない位置になるように第一組子と第二組子が構成された二重組子障子構体。
【請求項２】
請求項１に記載の二重組子障子構体の第一組子に第一障子紙を貼り付け、第二組子に第二障子紙を貼り付けた二重組子障子。
【請求項３】
第一障子紙は第一障子紙を介して第二組子の影を透かして見通せる紙質であり、
第二障子紙は第二障子紙を介して第一組子の影を透かして見通せる紙質である請求項２に記載の二重組子障子。
【発明の詳細な説明】
【技術分野】
【０００１】
本件発明は、障子に関する。
【背景技術】
【０００２】
従来より、障子紙を一つの組子の内側と外側に二重張りした障子が存在する。
【先行技術文献】
【特許文献】
【０００３】
【特許文献１】特願２００６−４５９７８
【発明の概要】
【発明が解決しようとする課題】
【０００４】
しかし、従来技術は、組子を構成する全ての竪子（組子のタテの木材等）と横子（組子のヨコの木材等）の両端面（障子紙を貼るべき面）に障子紙を貼ったもので、組子自体に特段の特徴があるわけではなく、前後の組子が作る陰影・奥行きといった美観をことさら生じさせるものではなかった。
【課題を解決するための手段】
【０００５】
そこで、本願の発明者は、竪子及び横子の組み方が異なる二以上の組子を前後に組み合わせてなる障子を開発した。すなわち、後述する第一組子と第二組子の端面に障子紙を貼るが、第一組子と第二組子の裏面同士は向かい合った状態となり、場合によっては組み合わされ、障子紙を貼るものではない。第一組子と第二組子の端面にそれぞれ障子紙を貼ることにより、障子紙から透過する光によって前後の組子の遠近が織りなす異なる陰影が生まれ、見る者が奥行きを感じることができる、かつてない美観を備える障子を提供することが可能となった。また、障子紙が二重になり、前後の組子の間に空間が生まれるため、保温性や遮音性がさらに向上した。さらに、組子が二重になることから、建具としての強度を増すことも可能となった。
【０００６】
上記課題を解決するために、第一の発明としては、一面側に貼り付けられる第一障子紙を貼り付けるための第一組子と、他面側に貼り付けられる第二障子紙を貼り付けるための第二組子と、からなり、前記第一組子の竪子又は／及び横子が前記第二組子の竪子又は／及び横子と正面視にて完全には重ならない位置になるように第一組子と第二組子が構成された二重組子障子構体を提供する。
【０００７】
第二の発明としては、第一の発明に記載の二重組子障子構体の第一組子に第一障子紙を貼り付け、第二組子に第二障子紙を貼り付けた二重組子障子を提供する。
【０００８】
第三の発明としては、第一障子紙は第一障子紙を介して第二組子の影を透かして見通せる紙質であり、第二障子紙は第二障子紙を介して第一組子の影を透かして見通せる紙質である第二の発明に記載の二重組子障子を提供する。
【発明の効果】
【０００９】
本件発明にかかる障子により、前後に陰影の異なる奥行きを持たせた障子を提供することが可能となる。
【図面の簡単な説明】
【００１０】
【図１】デザイン１の二重組子障子構体の斜視図
【図２】デザイン２の二重組子障子構体の斜視図
【図３】デザイン１の第一組子の正面図
【図４】デザイン２の第一組子の正面図
【図５】デザイン１の分解図
【図６】デザイン２の分解図
【図７】デザイン１の第二組子の正面図
【図８】デザイン２の第二組子の正面図
【図９】デザイン１の第一障子紙を張った場合の正面図
【図１０】デザイン２の第一障子紙を張った場合の正面図
【図１１】デザイン１の第二障子紙を張った場合の正面図
【図１２】デザイン２の第二障子紙を張った場合の正面図
【図１３】デザイン２の参考写真
【図１４】デザイン１の正面図
【図１５】デザイン１の背面図
【図１６】デザイン１の右側面図
【図１７】デザイン１の平面図
【図１８】デザイン１のＡ−Ａ切断部拡大断面図
【図１９】デザイン１のＢ−Ｂ切断部拡大断面図
【図２０】デザイン１の第一障子の正面図
【図２１】デザイン１の第二障子の正面図
【図２２】デザイン１の参考斜視図
【図２３】デザイン１の参考分解斜視図
【図２４】デザイン１の使用状態を示す参考正面図
【図２５】デザイン１の使用状態を示す参考背面図
【図２６】デザイン２の正面図
【図２７】デザイン２の背面図
【図２８】デザイン２の右側面図
【図２９】デザイン２の平面図
【図３０】デザイン２のＡ−Ａ切断部拡大断面図
【図３１】デザイン２のＢ−Ｂ切断部拡大断面図
【図３２】デザイン２の第一障子の正面図
【図３３】デザイン２の第二障子の正面図
【図３４】デザイン２の参考斜視図
【図３５】デザイン２の参考分解斜視図
【図３６】デザイン２の使用状態を示す参考正面図
【図３７】デザイン２の使用状態を示す参考背面図
【符号の説明】
【００１１】
０１００  デザイン１の二重組子障子構体
０２００  デザイン２の二重組子障子構体
０３０１  第一組子（デザイン１）
０４０１  第一組子（デザイン２）
０７０２  第二組子（デザイン１）
０８０２  第二組子（デザイン２）
０９０７  第一障子紙（デザイン１）
１００７  第一障子紙（デザイン２）
１１０８  第二障子紙（デザイン１）
１２０８  第二障子紙（デザイン１）
【発明を実施するための形態】
【００１２】
以下本件発明の実施形態について、図面を用いて説明する。実施形態１は請求項１に関する。実施形態２は請求項２及び３に関する。なお、本件発明はこれら実施形態に何ら限定されるものではなく、その要旨を逸脱しない範囲において、種々の態様で実施しうる。
【００１３】
≪実施形態１≫
【００１４】
＜概要＞
本実施形態は、異なる組子を前後に組み合わせた二重組子障子構体に関する。
【００１５】
＜機能的構成＞
本実施形態について図面を用いて説明する。本実施形態の二重組子障子構体（０１００（図１・デザイン１）、０２００（図２・デザイン２））は、「第一組子」と、「第二組子」とを有し、第一組子の竪子又は／及び横子と、第二組子の竪子又は／及び横子とが正面視にて完全に重ならないように構成された二重組子障子構体に関する。以下、本明細書中「枠」とは、桟（０１０５、０１０５（以上デザイン１）、０２０５、０２０５（以上デザイン２））及び框（０１０６、０１０６（以上デザイン１）、０２０６、０２０６（以上デザイン２））をいい、「組子」とは、竪子及び横子が組み合わされたものを言い、「障子構体」とは、枠及び組子をいい、「障子」とは、障子構体に障子紙を貼った状態のものをいうこととする。
【００１６】
＜各構成の説明＞
（第一組子）
「第一組子」（０３０１（図３・デザイン１）、０４０１（図４・デザイン２））は、前面側の組子であり、一面側に貼り付けられる後述する第一障子紙を貼り付けるよう構成される。実際には本件発明の二重組子障子構体ならびに二重組子障子に前後の区別はないが、例えば、部屋とそれに連なる縁側を隔てる場所に二重組子障子（構体）を配置するとして、部屋側に面する面を前面ないしは一面、縁側に面する面を背面ないしは他面と表現して説明する。ただし、この説明により、権利範囲に限定を加える意図はない。分解斜視図を用いて説明すると、第一組子は、０５０１（図５・デザイン１）、０６０１（図６・デザイン２）であり、単独でも障子の組子としての構成を有するものである。なお、分解斜視図では、後述する第二組子に対して、第一組子が組み合わされるような表現をしており、組み方の主従関係ないし先後関係があるように見えるが、これは説明の便宜上であり、実際には第一組子と第二組子とに主従関係等があるものではない。
【００１７】
（第二組子）
「第二組子」（０７０２（図７・デザイン１）、０８０２（図８・デザイン２））は、前面側の組子である第一組子に対する背面側の組子であって、当該組子の端面部である他面側に貼り付けられる後述する第二障子紙を貼り付けるよう構成される。具体的には、第二組子は分解斜視図における０５０２（図５・デザイン１）、０６０２（図６・デザイン２）であり、単独でも障子の組子としての構成を有するものである。
【００１８】
第一組子の竪子又は／及び横子と、第二組子の竪子又は／及び横子とが正面視にて完全に重ならないように構成される。ここにいう「完全に重ならない」とは、第一組子と第二組子のデザインが異なるため、竪子又は／及び横子の一部が合わさらない状態をいう。第一組子と第二組子とが直接に接している場合のほか、第一組子と第二組子との間に第三の組子がある等、第一組子と第二組子とが接していない場合であってもよい。したがって、第一組子を正面視したときには、第二組子の一部の裏側が見える状態になり、第二組子を正面視したときには、その逆で、第一組子の一部の裏側が見える状態となる。よって、障子紙を貼り付けた状態で障子を観察すると観察する側からみて手前の障子紙が貼り付けられている組子の陰影は濃く観察され、観察する側から見て奥側の組子の陰影は薄く観察される（図１３の写真参照）。
【００１９】
＜効果＞
本実施形態の二重組子障子構体は、障子紙から透過する光により前後の組子の遠近が織りなす異なる陰影により、奥行きが生まれ、かつてない美観を備える障子の構体を提供することができる。
【００２０】
≪実施形態２≫
【００２１】
＜概要＞
本実施形態は、実施形態１の二重組子障子構体に障子紙を張り付けた状態の障子に関する。
【００２２】
＜機能的構成＞
本実施形態について図面を用いて説明する。本実施形態の障子（０９００（図９・デザイン１）、１０００（図１０・デザイン２））は、実施形態１の構成に加え、さらに「第一障子紙」と、「第二障子紙」とを有する。
【００２３】
＜各構成の説明＞
（第一障子紙）
「第一障子紙」（図９（デザイン１）において斜線加工がされている０９０７、図１０（デザイン２）において斜線加工がされている１００７）は、第一組子（図９（デザイン１）において黒く塗りつぶされている０９０１、図１０（デザイン２）において黒く塗りつぶされている１００１）の一面側に貼り付けられるよう構成される障子紙である。第一障子紙は、透明・半透明・不透明のいずれであってもよく、素材は選ばない。ただし、二重組子構体が織りなす陰影や遠近感を発揮させるためには、第一組子の端面に障子紙を貼った状態を正面から見た場合に、第一組子及び第二組子（図９（デザイン１）において黒く塗りつぶされていない０９０２、図１０（デザイン２）において黒く塗りつぶされていない１００２）の構造や、後述する第二障子紙に描かれた絵などを透かして見えるような透過性のある素材であることが好ましい。これはたとえば、和紙等が考えられる。
【００２４】
（第二障子紙）
「第二障子紙」（図１１（デザイン１）において斜線加工がされている１１０８、図１２（デザイン２）において斜線加工がされている１２０８）は、第一障子紙が貼りつけられる一面側に対して他面側であり、第二組子（図１１（デザイン１）において黒く塗りつぶされている１１０２、図１２（デザイン２）において黒く塗りつぶされている１２０２）において黒く塗りつぶされている１２０２）の端面部に張り付けられるよう構成される障子紙である。第二障子紙は、透明・半透明・不透明のいずれであってもよく、素材は選ばない。ただし、二重組子構体が織りなす陰影や遠近感を発揮させるためには、第二組子の端面に障子紙を貼った状態を正面視で見た場合に、第二組子及び第一組子（図１１（デザイン１）において黒く塗りつぶされていない１１０１、図１２（デザイン２）において黒く塗りつぶされていない１２０１）の構造や、第一障子紙に描かれた絵などを透かして見えるような透過性のある素材であることが好ましい。これはたとえば、第一障子紙の場合と同様、和紙等が考えられる。
【００２５】
＜効果＞
本実施形態の障子は、障子紙から透過する光により前後の組子の遠近が織りなす異なる陰影により、奥行きが生まれ、かつてない美観を備える障子が可能となった（図１３の写真参照）。また、障子紙が二重になり、前後の障子の間に空間が生まれるため、二重になり、保温性や遮音性がさらに向上した。さらに、障子に用いる組子・木枠が二重になることから、建具としての強度を増すことが可能となった。
【００２６】
（本件発明の六面図及び参考図面の開示）
以下、本件発明の障子についての図面を開示する。図１４から図２５はデザイン１に、図２６から図３７はデザイン２に関する。すなわち、図１４は、デザイン１の正面図であり、図１５は、デザイン１の背面図であり、図１６は、デザイン１の右側面図であり、図１７は、デザイン１の平面図であり、図１８は、デザイン１のＡ−Ａ切断部拡大断面図であり（切断箇所については図１４の正面図に図示）、図１９は、デザイン１のＢ−Ｂ切断部拡大断面図であり（切断箇所については図１４の正面図に図示）、図２０は、デザイン１の第一障子の正面図であり、図２１は、デザイン１の第二障子の正面図であり、図２２は、デザイン１の参考斜視図であり、図２３は、デザイン１の参考分解斜視図であり、図２４は、デザイン１の使用状態を示す参考正面図であり、図２５は、デザイン１の使用状態を示す参考背面図であり、図２６は、デザイン２の正面図であり、図２７は、デザイン２の背面図であり、図２８は、デザイン２の右側面図であり、図２９は、デザイン２の平面図であり、図３０は、デザイン２のＡ−Ａ切断部拡大断面図であり（切断箇所については図２６の正面図に図示）、図３１は、デザイン２のＢ−Ｂ切断部拡大断面図であり（切断箇所については図２６の正面図に図示）、図３２は、デザイン２の第一障子の正面図であり、図３３は、デザイン２の第二障子の正面図であり、図３４は、デザイン２の参考斜視図であり、図３５は、デザイン２の参考分解斜視図であり、図３６は、デザイン２の使用状態を示す参考正面図であり、図３７は、デザイン２の使用状態を示す参考背面図である。なお、デザイン１及び２ともに、右側面図は左側面図と同じであるから省略し、底面図は平面図と同じであるから省略している。
【図１】
0006046098.tif 000002
【図２】
0006046098.tif 000003
【図３】
0006046098.tif 000004
【図４】
0006046098.tif 000005
【図５】
0006046098.tif 000006
【図６】
0006046098.tif 000007
【図７】
0006046098.tif 000008
【図８】
0006046098.tif 000009
【図９】
0006046098.tif 000010
【図１０】
0006046098.tif 000011
【図１１】
0006046098.tif 000012
【図１２】
0006046098.tif 000013
【図１３】
0006046098.tif 000014
【図１４】
0006046098.tif 000015
【図１５】
0006046098.tif 000016
【図１６】
0006046098.tif 000017
【図１７】
0006046098.tif 000018
【図１８】
0006046098.tif 000019
【図１９】
0006046098.tif 000020
【図２０】
0006046098.tif 000021
【図２１】
0006046098.tif 000022
【図２２】
0006046098.tif 000023
【図２３】
0006046098.tif 000024
【図２４】
0006046098.tif 000025
【図２５】
0006046098.tif 000026
【図２６】
0006046098.tif 000027
【図２７】
0006046098.tif 000028
【図２８】
0006046098.tif 000029
【図２９】
0006046098.tif 000030
【図３０】
0006046098.tif 000031
【図３１】
0006046098.tif 000032
【図３２】
0006046098.tif 000033
【図３３】
0006046098.tif 000034
【図３４】
0006046098.tif 000035
【図３５】
0006046098.tif 000036
【図３６】
0006046098.tif 000037
【図３７】
0006046098.tif 000038